(57)【特許請求の範囲】
【請求項１】
巻取ボックスの内部に巻取軸を配設し、該巻取軸に巻き付けたスクリーンの両側端部に多数の係合子を設け、該係合子をガイドレール内に備えられたインナーレールのスリットに抜止状態で係合させることで、前記スクリーンを前記インナーレールにガイドさせながら該スクリーンを開閉するようにした巻取式スクリーン装置において、
前記巻取ボックスにおける前記スクリーンを導出するための導出口の長手方向の両端に、前記ガイドレールを連接する隔壁が設けられると共に、該隔壁に前記スクリーンの係合子を設けた両側端部を挿通する隔壁溝が形成され、
前記インナーレールを前記巻取ボックスの隔壁に向かって付勢する弾性部材を設けた、
ことを特徴とする巻取式スクリーン装置。
【請求項２】
前記ガイドレールは、前記巻取ボックスの隔壁に当接する第１ガイド端部と、該第１ガイド端部の反対側に位置する第２ガイド端部とを有し、
該第２ガイド端部にガイドキャップが設けられ、
前記インナーレールは、前記巻取ボックスの隔壁に当接する第１レール端部と、その反対側である前記ガイドキャップ側の第２レール端部とを有し、
前記第１レール端部と前記巻取ボックスの隔壁との当接部で、前記スリットを含むインナーレール内空間と前記隔壁溝とを連通させ、
前記弾性部材が、ガイドキャップ内において前記インナーレールとの間に設けられている、
ことを特徴とする請求項１に記載の巻取式スクリーン装置。
【請求項３】
前記インナーレールにおける巻取ボックスの隔壁に当接する第１レール端部のスリットの巾を、前記隔壁溝の溝巾と同等の巾になるようにテーパー面で拡大させた、
ことを特徴とする請求項１又は２に記載の巻取式スクリーン装置。
【請求項４】
前記巻取ボックスの隔壁におけるインナーレールの該隔壁に当接する第１レール端部の当接面に、該第１レール端部を嵌合して位置決めするレール嵌合部が設けられている、
ことを特徴とする請求項１から３のいずれかに記載の巻取式スクリーン装置。
【請求項５】
前記ガイドキャップ内には、前記ガイドレールに沿って延び、先端側で基端側よりも細くなる凸部が形成され、
前記弾性部材は前記凸部の基端側に嵌合可能なコイルバネによって形成され、
前記凸部の先端部が前記インナーレール内空間に挿入されている、
ことを特徴とする請求項２、又は該請求項２を引用する請求項３若しくは請求項４、又は請求項２を引用する請求項３を引用する請求項４に記載の巻取式スクリーン装置。
【発明の詳細な説明】
【技術分野】
【０００１】
本発明は、建物開口部に設置して、防虫、通風、遮光、日除け、目隠し等を行うための巻取式スクリーン装置に関するものである。
【背景技術】
【０００２】
この種の巻取式スクリーン装置として、特許文献１等に開示されているように、巻取ボックス内のバネ付勢された巻取軸に巻き付けられるスクリーンと、スクリーンの先端部に取付けられる横桟と、巻取ボックスの両端部に取り付けられ、内部に挿入されたインナーレールに前記スクリーンの両側端部に設けられる係合子を摺動自在に係合させて、スクリーンの両側端を案内する枠材と、を有するものは、すでに知られている。
【０００３】
特許文献１に開示されている巻取式スクリーン装置では、インナーレールに、スクリーンの左右側端に沿って取付けた係止部材を係止させるスリットが形成されると共に、巻取ボックスにおけるガイドレールの当接壁にスクリーンの側端を導出する導出溝が設けられている。そして、前記インナーレールは、該導出溝にそのスリット及び内部空間を連通させるように枠材内に配設されるが、現実的に前記導出溝とインナーレールのスリット及び内部空間とを一致させることには困難性がある。
【０００４】
特に、枠材内に配設するインナーレールは、枠材自体とほぼ同長になるので、両者が比較的長いものになることが多く、インナーレールの上端を前記当接壁に接触させるような寸法関係にしてインナーレール等を生産することは困難であり、しかも、通常は枠材がアルミニウムの押出材等で成形され、インナーレールはスクリーンの側端の係止部材との摺動性においてすぐれた合成樹脂等により成形されて、それらの素材が相違するので、環境温度による熱膨張に比較的大きな差異があることが多く、そのため、寸法的に正確に製造していても、インナーレールの上端が巻取ボックスの当接壁に対して適切に当接する状態で組立てることは困難である。また、スクリーンをその交換や洗濯のために着脱する必要もある。このような場合にスクリーンの側端をインナーレールから離脱させたとき、特にインナーレールが枠材よりも何らかの理由で短寸化している場合、インナーレールにスクリーン側端の係止部材を挿入して元通りに復旧させることは非常に困難である。
【先行技術文献】
【特許文献】
【０００５】
【特許文献１】実公平６−５０６３９号公報
【発明の概要】
【発明が解決しようとする課題】
【０００６】
本発明の技術的課題は、巻取ボックス内の両端部におけるスクリーンの側端の導出溝を通して、ガイドレール内のインナーレール内空間に該スクリーンの側端の係止部材を挿通させる組付け作業を簡単且つ容易化した巻取式スクリーン装置を提供することにある。
【課題を解決するための手段】
【０００７】
上記課題を解決するため、本発明によれば、巻取ボックスの内部に巻取軸を配設し、該巻取軸に巻き付けたスクリーンの両側端部に多数の係合子を設け、該係合子をガイドレール内に備えられたインナーレールのスリットに抜止状態で係合させることで、前記スクリーンを前記インナーレールにガイドさせながら該スクリーンを開閉するようにした巻取式スクリーン装置において、前記巻取ボックスにおける前記スクリーンを導出するための導出口の長手方向の両端に、前記ガイドレールを連接する隔壁が設けられると共に、該隔壁に前記スクリーンの係合子を設けた両側端部を挿通する隔壁溝が形成され、前記インナーレールを前記巻取ボックスの隔壁に向かって付勢する弾性部材を設けたことを特徴とする巻取式スクリーン装置が提供される。
【０００８】
本発明に係る巻取式スクリーン装置の好ましい実施形態においては、前記ガイドレールが、前記巻取ボックスの隔壁に当接する第１ガイド端部と、該第１ガイド端部の反対側に位置する第２ガイド端部とを有し、該第２ガイド端部にガイドキャップが設けられ、前記インナーレールは、前記巻取ボックスの隔壁に当接する第１レール端部と、その反対側である前記ガイドキャップ側の第２レール端部とを有し、前記第１レール端部と前記巻取ボックスの隔壁との当接部で、前記スリットを含むインナーレール内空間と前記隔壁溝とを連通させ、前記弾性部材が、ガイドキャップ内において前記インナーレールとの間に設けられたものとして構成される。
【０００９】
また、本発明に係る巻取式スクリーン装置の好ましい実施形態においては、前記インナーレールにおける巻取ボックスの隔壁に当接する第１レール端部のスリットの巾を、前記隔壁溝の溝巾と同等の巾になるようにテーパー面で拡大させたものとして構成される。
【００１０】
また、上記巻取式スクリーン装置においては、前記巻取ボックスの隔壁におけるインナーレールの該隔壁に当接する第１レール端部の当接面に、該第１レール端部を嵌合して位置決めするレール嵌合部が設けられていることが好ましい。
【００１１】
また、上記巻取式スクリーン装置においては、前記ガイドキャップ内には、前記ガイドレールに沿って延び、先端側で基端側よりも細くなる凸部が形成され、前記弾性部材は前記凸部の基端側に嵌合可能なコイルバネによって形成され、前記凸部の先端部が前記インナーレール内空間に挿入されていることが好ましい。
【発明の効果】
【００１２】
以上に詳述した本発明のスクリーン装置によれば、スクリーンの導出口の長手方向の両端に設けられる隔壁に隔壁溝が形成され、インナーレールがガイドレール内の弾性部材により隔壁に向かって付勢されることでインナーレールと隔壁とが当接するので、隔壁溝とインナーレールのスリットを含む内空間とが連通している。このように、インナーレールと隔壁との当接により、隔壁溝とインナーレールのスリットとの連通が維持されるので、インナーレールへのスクリーンの取り付けが容易となる。
【図面の簡単な説明】
【００１３】
【図１】（ａ）は、本発明に係る巻取式スクリーン装置の正面図であり、（ｂ）は（ａ）のＡ−Ａ線断面図である。
【図２】巻取式スクリーン装置のスクリーン及びそれに付随する部材を省略した側面図である。
【図３】（ａ）は本発明に係る巻取式スクリーン装置の水平断面図であり、（ｂ）は（ａ）の要部拡大図である。
【図４】第２ガイド端部の構成を示す部分拡大側面図である。
【図５】図２に示すインナーレールと隔壁との当接部の構成を示す要部拡大図である。
【図６】（ａ）は図１（ａ）に示す左側の側面キャップにおける隔壁の側面図、（ｂ）は隔壁の底面図である。
【図７】（ａ）はインナーレールをガイド溝に挿入した状態の第２ガイド端部の要部側面図で、図４に示すインナーレールよりも長いインナーレールをガイド溝に挿入した状態を示し、（ｂ）は図４に示すインナーレールよりも短いインナーレールをガイド溝に挿入した状態の第２ガイド端部の要部側面図である。
【発明を実施するための形態】
【００１４】
以下に、本発明に係る巻取式スクリーン装置の実施形態を説明する。本発明の実施例として示されている巻取式スクリーン装置１は、図１に示すように、巻取ボックス１０の内部に巻取軸２０が配設され、巻取軸２０に第１及び第２スクリーン３１，３６が巻き付けられ、第１スクリーン３１及び第２スクリーン３６の先端にそれぞれ図１及び図３に示される可動框３２，３７が取り付けられている。また、第１スクリーン３１の左右側端部には、図３に示すように多数の係合子３４が設けられており、係合子３４をガイドレール４０内に備えたインナーレール４１のスリット４２に抜止状態で係合させることで、第１スクリーン３１をガイドレール４０にガイドさせながら、第１スクリーン３１を開閉可能にした構成を有している。一方、第２スクリーン３６は、その側端をガイドレール等にガイドさせていない。
【００１５】
巻取軸２０の外周面２２には、巻取軸２０の軸線に対して平行となる２本の取付溝２１ａ，２１ｂが形成され、この取付溝２１ａ，２１ｂに第１及び第２スクリーン３１，３６の各基端がそれぞれ着脱可能に取り付けられている。また、第１スクリーン３１と第２スクリーン３６との間には多数の可撓のスラット３８が連結されており、これらのスラット３８の両端が第１及び第２スクリーン３１，３６に対してそれぞれ等間隔で起倒自在に連結されている。従って、スラット３８は、第１及び第２スクリーン３１，３６と共に重ねた状態で巻取軸２０に巻き取ることができる。また、可動框３２，３７の両端には、ガイドレール４０の框溝４３ａ，４３ｂに摺動自在の板状の框部片３２ａ，３７ａが設けられ、可動框３２の下端には防虫及び緩衝のためのモヘア３５が設けられている。
【００１６】
なお、図示した巻取式スクリーン装置の実施例では、第１及び第２スクリーン３１，３６をスラット３８と共に巻取軸に重ねて巻き取るようにしているが、本発明のスクリーン装置はかかる構成に限られるものではなく、単に１枚のスクリーンで下端に可動框を取付けたもの等を巻取軸に巻き取るようにした構成を備えたものとすることもできる。
【００１７】
巻取ボックス１０は、巻取軸２０の全長に沿う前面部分に設けられる開閉自在の開閉カバー１１と、巻取軸２０の全長に沿う後面部分の後部側壁１２ａと上面部分の上部側壁１２ｂと、巻取軸２０のそれぞれの端部に対向する一対の側面キャップ１３ａ，１３ｂとを備えている。また、側面キャップ１３ａ，１３ｂの下面には、ガイドレール４０の上端部である第１ガイド端部４０ａとの嵌め合わせによる連結に供するガイド嵌合部６１等を備えた隔壁６０が一体に設けられ、左右一対の当該隔壁６０間に、第１スクリーン３１と第２スクリーン３６とを導出するための導出口１７が形成されている。
【００１８】
側面キャップ１３ａ，１３ｂの内側壁の前面上部側には、巻取ボックス１０の内方に突出するカバー用回転軸１６が設けられ、また、開閉カバー１１の基端側にはカバー用回転軸１６により軸支可能な軸支部１１ｂが形成されており、この軸支部１１ｂをカバー用回転軸１６に係合させることで、開閉カバー１１が開閉できるように構成されている。      
【００１９】
側面キャップ１３ａの内部には、第１、第２スクリーン３１，３６の巻き取り・巻き戻しを行うための図示しないスプロケットが設けられ、このスプロケットに巻掛けられている操作チェーン１８を操作することで、スプロケットを正逆の方向に回転させることが可能となっている。
【００２０】
隔壁６０は、ガイドレール４０に沿う方向に延出し、筒状をなす該ガイドレール４０の第１ガイド端部４０ａ内に嵌合するガイド嵌合部６１と、側面キャップ１３ａ，１３ｂの内周壁の下部から内方に伸び、第１ガイド端部４０ａの端面に当接する隔壁板部６２とを備えている。また、隔壁板部６２の一部は、図６（ａ），（ｂ）からわかるように、前記インナーレール４１の第１レール端部４１ａの当接面を形成し、この当接面にインナーレール４１の第１レール端部４１ａを嵌合可能なレール嵌合部６３がガイドレール４０側に向かって開口するように設けられ、このレール嵌合部６３の頂面６４を形成する上記隔壁板部６２に第１スクリーン３１の側端部を挿通する隔壁溝６５が形成されている。隔壁板部６２の巻取ボックス内面側で隔壁溝６５に近接する部位に設けた傾斜面６６は、第１スクリーン３１を隔壁溝６５にガイドする役割を有し、また、インナーレール４１の第１レール端部４１ａにおけるスリット４２の巾は、隔壁溝６５に向かってそれと同等の巾となるようにテーパー面で拡大させている。そのため、隔壁溝６５からインナーレール４１への第１スクリーン３１の挿通が容易となる。
【００２１】
左右一対のガイドレール４０の互いに対向する対向壁４４には、図３からわかるように、インナーレール４１を挿入可能なガイド溝４５が第１スクリーン３１をガイドする方向に形成されている。また、対向壁４４には、框部片３２ａ，３７ａを摺動自在に保持する框溝４３ａ，４３ｂが、ガイド溝４５と平行に形成されている。ガイド溝４５及び框溝４３ａ，４３ｂは、第１ガイド端部４０ａから、ガイドレール４０の他端部であって第１ガイド端部４０ａの反対側の第２ガイド端部４０ｂまで設けられている。また、インナーレール４１の一端部である第１レール端部４１ａは隔壁６０に当接し、インナーレール４１の他端部である第２レール端部４１ｂは後述するガイドキャップ５０に当接している。
【００２２】
ガイドレール４０の第２ガイド端部４０ｂには、ガイド溝４５及び框溝４３ａ，４３ｂを封鎖するガイドキャップ５０が取り付けられている。第２ガイド端部４０ｂと当接するガイドキャップ５０の当接面５１には、ガイド溝４５に挿入可能に形成された凸部５３が設けられている。この凸部５３は、基端側に設けられる略円柱状の凸状基部５３ａと、先端側に設けられ凸状基部５３ａよりも径の小さい略円柱状の凸状先端部５３ｂとからなる。凸状基部５３ａには、第２レール端部４１ｂに当接する弾性部材としての筒状のコイルバネ７４が嵌合されており、このコイルバネ７４によってインナーレール４１の第２レール端部４１ｂが隔壁６０に向かって付勢されている。このコイルバネ７４から受ける付勢力によって、第１レール端部４１ａがレール嵌合部６３に挿入され、スリット４２を含むインナーレール４１内の空間と隔壁溝６５とが連通するように、インナーレール４１を隔壁板部６２に当接させている。また、凸状先端部５３ｂはこのインナーレール４１内の空間に挿入可能となるように形成され、インナーレール４１とコイルバネ７４の当接を安定させている。
【００２３】
次に、凸状基部５３ａに嵌合されているコイルバネ７４とインナーレール４１との関係について説明する。図４に示すように、コイルバネ７４がインナーレール４１を隔壁６０方向に付勢する付勢力を有している状態で第２レール端部４１ｂに当接しているため、スリット４２を含むインナーレール４１内の空間と隔壁溝６５との連通が常に維持され、スクリーン３１の側端部の係合子３４を隔壁溝６５を介してスリット４２に係合させる際に、第１レール端部４１ａと隔壁６０の当接を確実に行った状態で、スリット４２への係合子３４の係合が容易となる。
【００２４】
図４では、インナーレール４１が標準的な長さを有する場合のコイルバネ７４の圧縮状態を示しているが、図７（ａ）に示すように、インナーレール８１の長さが図４に示すインナーレール４１よりも長い場合には、コイルバネ７４が図４に示している状態と比べて圧縮され、インナーレール８１に付与されるコイルバネ７４の付勢力が若干大きくなり、また、図７（ｂ）に示すように、インナーレール９１の長さが図４に示すインナーレール４１よりも短い場合には、コイルバネ７４が図４に示している状態と比べて伸びた状態になり、インナーレール９１に付与されるコイルバネ７４の付勢力が若干小さくなるが、格別の問題が生じることはない。
【００２５】
図７（ａ），（ｂ）に示すようなインナーレール８１，９１の長さのばらつきは、温度に対するインナーレールの膨張や収縮によって生じることもあるが、何らかの他の理由でばらつきが生じることもあり、上記コイルバネ７４の使用は、このばらつきをも吸収するので、いずれにしてもインナーレール４１，８１，９１の長さが異なる場合でも係合子３４のスリット４２への係合を容易とすることができる。
【符号の説明】
【００２６】
１  巻取式スクリーン装置
１０  巻取ボックス
１７  導出口
２０  巻取軸
３１  第１スクリーン（スクリーン）
３４  係合子
４０  ガイドレール
４０ａ  第１ガイド端部
４０ｂ  第２ガイド端部
４１，８１，９１  インナーレール
４１ａ  第１レール端部
４１ｂ  第２レール端部
４２  スリット
５０  ガイドキャップ
５３  凸部
６０  隔壁
６３  レール嵌合部
６５  隔壁溝
７４  コイルバネ（弾性部材）
【図１】
0006309832.tif 000002
【図２】
0006309832.tif 000003
【図３】
0006309832.tif 000004
【図４】
0006309832.tif 000005
【図５】
0006309832.tif 000006
【図６】
0006309832.tif 000007
【図７】
0006309832.tif 000008